(57)【要約】      （修正有）【課題】一度に１つの物品のみを払い出す物品払出装置を提供する。【解決手段】物品払出装置は、物品収納部の下部に連結された払出部２を備えており、当該払出部は、物品収納部との連結箇所に当該物品収納部側と前記払出部の内部空間とを連通させて物品が通過可能な貫通孔２０が形成されており、外部に設けられた回転可能なハンドル２１と、物品を受ける凹部が形成され前記ハンドルの回転に伴って回転する椀状回転部２２と、を備える。そして、前記椀状回転部は、凹部の開口面が上方を向いて前記貫通孔に対向して略平行に位置する第一の状態で前記払出部の内部空間に位置して前記貫通孔の下方に配置されており、水平方向に沿った軸を支点として特定の回転方向に回転するよう構成される。さらに、前記椀状回転部の回転軌跡の外側に、前記貫通孔の上方の一部及び／又は下方の一部を覆う覆い部材２３，２４を設ける。【選択図】図３
2020109596.tif 000002
【特許請求の範囲】
【請求項１】
物品を収納する物品収納空間を有する物品収納部と、当該物品収納部の下部に連結され当該物品収納部内の物品を外部に払い出す払出口を有する払出部と、を備えた物品払出装置であって、
前記払出部は、
前記物品収納部との連結箇所に、当該物品収納部側と前記払出部の内部空間とを連通させる物品が通過可能な貫通孔が形成されており、
前記払出部の外部に設けられた回転可能なハンドルと、
物品を受ける凹部が形成され、前記ハンドルの回転に伴って回転する回転体と、を備え、
前記回転体は、前記凹部の開口面が上方を向いて前記貫通孔に対向して略平行に位置する第一の状態で、前記払出部の内部空間に位置して前記貫通孔の下方に配置されており、水平方向に沿った軸を支点として特定の回転方向に回転するよう構成され、
さらに、前記回転体の回転軌跡の外側に、前記貫通孔の上方の一部及び／又は下方の一部を覆う覆い部材を設けた、
物品払出装置。
【請求項２】
請求項１に記載の物品払出装置であって、
前記覆い部材として、前記第一の状態における前記回転体の前記開口面の上方の一部及び前記貫通孔の上方の一部を覆う上方覆い部材を備えた、
物品払出装置。
【請求項３】
請求項２に記載の物品払出装置であって、
前記上方覆い部材は、前記第一の状態から前記回転体が前記特定の回転方向に回転し始めたときに、下方側に回転する前記開口面の一部と対向する前記貫通孔の箇所付近の上方を覆うよう構成されている、
物品払出装置。
【請求項４】
請求項１乃至３のいずれかに記載の物品払出装置であって、
前記覆い部材として、前記第一の状態における前記回転体の前記開口面の裏面側の下方の一部及び前記貫通孔の下方の一部を覆う下方覆い部材を備えた、
物品払出装置。
【請求項５】
請求項４に記載の物品払出装置であって、
前記下方覆い部材は、前記回転体が前記特定の回転方向に回転して前記第一の状態に戻る直前に、前記開口面の一部に対向して当該開口面が下方側から近接する前記貫通孔の箇所付近の下方を覆うよう構成されている、
物品払出装置。
【請求項６】
請求項１乃至５のいずれかに記載の物品払出装置であって、
前記貫通孔は、略円形状に形成されており、
前記回転体は、前記開口面の外形が略円形状に形成された椀状に形成されており、
前記覆い部材として、略円形状である前記貫通孔のうち略半円形状部分の上方を覆う上側覆い部材と、当該上側覆い部材にて上方が覆われている前記貫通孔の略半円形状部分とは反対側に位置する略円形状部分の下方を覆う下側覆い部材と、を備えた、
物品払出装置。
【請求項７】
請求項１乃至６のいずれかに記載の物品払出装置であって、
前記覆い部材は、前記貫通孔側が凹状となる球面の一部の形状に形成されている、
物品払出装置。
【請求項８】
物品を収納する物品収納空間を有する物品収納部と、当該物品収納部の下部に連結され当該物品収納部内の物品を外部に払い出す払出口を有する払出部と、を備えた物品払出装置を構成する前記払出部であって、
前記物品収納部との連結箇所に、当該物品収納部側と前記払出部の内部空間とを連通させる物品が通過可能な貫通孔が形成されており、
前記払出部の外部に設けられた回転可能なハンドルと、
物品を受ける凹部が形成され、前記ハンドルの回転に伴って回転する回転体と、を備え、
前記回転体は、前記凹部の開口面が上方を向いて前記貫通孔に対向して略平行に位置する第一の状態で、前記払出部の内部空間に位置して前記貫通孔の下方に配置されており、水平方向に沿った軸を支点として特定の回転方向に回転するよう構成され、
さらに、前記回転体の回転軌跡の外側に、前記貫通孔の上方の一部及び／又は下方の一部を覆う覆い部材を設けた、
払出部。
【発明の詳細な説明】
【技術分野】
【０００１】
本発明は、物品を払い出す物品払出装置に関する。
【背景技術】
【０００２】
従来より、ガチャガチャ（登録商標）やガチャポン（登録商標）と呼ばれる物品払出装置が知られている。物品払出装置は、例えば、予め商品が内包されたカプセルをカプセル収納部に複数収納しておき、ハンドルを回すことによってカプセル収納部内のカプセルを１つ払い出すよう構成されている。なお、物品払出装置は、必ずしも商品が内包されたカプセルを払い出す物品としていることに限らず、チョコレートやグミなどのお菓子自体を払い出す物品としていることもある。
【０００３】
ここで、物品払出装置による物品であるカプセルを払い出す機構として、特許文献１に記載のものがある。特許文献１の装置は、カプセル収納部の下部に連結する払出部を備えており、かかる払出部の上方つまりカプセル収納部と払出部との連結箇所に、回転盤を備えている。この回転盤には貫通孔が形成されており、当該貫通孔の内部には１つのカプセルが保持される。そして、ハンドルが回転されると、回転盤が回転し、当該回転盤の貫通孔がさらに下方に位置するシュート孔に位置し、貫通孔に保持されていたカプセルがシュート孔を経由してカプセル払出口に払い出される、という構成となっている。
【先行技術文献】
【特許文献】
【０００４】
【特許文献１】特開２００６−３０９４１４号公報
【発明の概要】
【発明が解決しようとする課題】
【０００５】
また、物品払出装置による物品を払い出す機構として、図１Ａ乃至図１Ｅに記載のものもある。なお、図１Ａ乃至図１Ｅでは、物品払出装置の払出部１０２のみを記載しており、その上部には物品収納部が設けられているが、かかる物品収納部の図示は省略する。また、図１Ａ乃至図１Ｅでは、それぞれ左側に物品払出装置の払出部１０２の斜視図を示し、右側に払出部１０２の内部構造の断面図を示す。そして、図１Ａ乃至図１Ｅは、順に払出部１０２のハンドル１２１が回転されたときの状態を示している。なお、この物品払出装置では、払い出す物品１１１，１１２，１１３を略楕円体形状のお菓子としており、説明の都合上、３つの物品のみを図示している。但し、物品は上述したカプセルであってもよく、いかなる形状の物品であってもよい。
【０００６】
図１Ａに示すように、物品払出装置の払出部１０２は、物品収納部との連結箇所である上面に、払出部１０２の内部に通じるよう貫通する貫通孔１２０が形成されている。そして、払出部１０２の内部には、上面の貫通孔１２０の下方に内部空間が形成されており、当該内部空間内であって貫通孔１２０の直下に、椀状に形成された椀状回転部１２２が配置されている。この回転部１２２は、払出部１０２の外部に設けられたハンドル１２１と回転軸で連結しており、かかるハンドル１２１が回転されることで、払出部１０２の内部空間で回転するよう構成されている。
【０００７】
具体的に、上記回転部１２２は、椀状の開口面が貫通孔１２０とほぼ同じ大きさに形成されている。そして、図１Ａに示すように、物品１１１を払い出す前のハンドル１２１が回転していない状態では、椀状回転部１２２の開口面が上方を向いており、貫通孔１２０とほぼ同一面に位置しているか当該貫通孔１２０に近接して対向している。このため、椀状回転部１２２には、貫通孔１２０から落下してきた１つの物品１１１が収容され、当該物品１１１が椀状回転部１２２の椀状部分に保持された状態となる。
【０００８】
その後、物品１１１を払い出すべくハンドル１２１を徐々に回転させると、図１Ｂ，１Ｃ，１Ｄに示すように、椀状回転部１２２も回転する（この例では時計回り方向に回転する）。すると、椀状回転部１２２の開口面が徐々に側方を向き、開口面の一部が払出部１０２に内部空間側に位置すると、椀状回転部１２２に保持されている１つの物品１１１が払出部１０２の内部空間に落下する（図１Ｃ参照）。これにより、払出部１０２の内部に落下した１つの物体１１１は、払出部１０２の下部に位置する払出口１２５から払い出されることとなる（図１Ｄ，１Ｅ参照）。
【０００９】
ところが、上述した構造の払出部１０２では、以下の問題が生じる。まず、上述したように、ハンドル１２１を徐々に回転させて椀状回転部１２２の開口面が側方を向いて払出部１０２の内部空間側に位置したときには、椀状部分で保持していた１つの物品１１１が払出部１０２の内部に落下することとなる。このとき、図１Ｃに示すように、椀状回転部１２２の椀状部分で保持していた１つの物品１１１が落下することによって、当該椀状部分に空間が生じ、開口部と連通している貫通孔１２０から別の物品１１２が落下してくる。そして、図１Ｃに示す状況では、椀状回転部１２２の開口部が側方を向いて払出部１０２の内部空間側に位置していることから、貫通孔１２０から落下してきた別の物品１１２を保持することができず、図１Ｄに示すように、かかる別の物品１１２も払出部１０２の内部空間に落下してしまう。その結果、１回のハンドル１２１の回転で、２つの物品１１１，１１２が払い出されてしまう、という問題が生じる。
【００１０】
その後、さらにハンドル１２１を回転させると、椀状回転部１２２が回転前の状態に戻る前に、図１Ｅに示すように、その開口面が、回転しはじめたときとは反対側の側方を向くこととなる。すると、貫通孔１２０と椀状回転部１２２の開口面との間に隙間が生じ、かかる隙間からさらに別の物品１１３が落下する。その結果、１回のハンドル１２１の回転で、上述した２つの物品１１１，１１２加え、さらに３つ目の物品１１３も払い出されてしまう、という問題が生じる。
【００１１】
以上のように、上述した構造の物品払出装置では、１回のハンドル１２１の回転で１つの物品を払い出す仕様であるものの、複数の物品が払い出されてしまうことがある。その結果、仕様通りに作動しない、という問題が生じる。
【００１２】
このため、本発明の目的は、上述した課題である、一度に１つの物品を払い出すといった仕様通りに作動する物品払出装置を提供することにある。
【課題を解決するための手段】
【００１３】
本発明の一形態である物品払出装置は、
物品を収納する物品収納空間を有する物品収納部と、当該物品収納部の下部に連結され当該物品収納部内の物品を外部に払い出す払出口を有する払出部と、を備えた物品払出装置であって、
前記払出部は、
前記物品収納部との連結箇所に、当該物品収納部側と前記払出部の内部空間とを連通させる物品が通過可能な貫通孔が形成されており、
前記払出部の外部に設けられた回転可能なハンドルと、
物品を受ける凹部が形成され、前記ハンドルの回転に伴って回転する回転体と、を備え、
前記回転体は、前記凹部の開口面が上方を向いて前記貫通孔に対向して略平行に位置する第一の状態で、前記払出部の内部空間に位置して前記貫通孔の下方に配置されており、水平方向に沿った軸を支点として特定の回転方向に回転するよう構成され、
さらに、前記回転体の回転軌跡の外側に、前記貫通孔の上方の一部及び／又は下方の一部を覆う覆い部材を設けた、
という構成をとる。
【００１４】
そして、上記物品払出装置では、
前記覆い部材として、前記第一の状態における前記回転体の前記開口面の上方の一部及び前記貫通孔の上方の一部を覆う上方覆い部材を備えた、
という構成をとる。
【００１５】
また、上記物品払出装置では、
前記上方覆い部材は、前記第一の状態から前記回転体が前記特定の回転方向に回転し始めたときに、下方側に回転する前記開口面の一部と対向する前記貫通孔の箇所付近の上方を覆うよう構成されている、
という構成をとる。
【００１６】
また、上記物品払出装置では、
前記覆い部材として、前記第一の状態における前記回転体の前記開口面の裏面側の下方の一部及び前記貫通孔の下方の一部を覆う下方覆い部材を備えた、
という構成をとる。
【００１７】
また、上記物品払出装置では、
前記下方覆い部材は、前記回転体が前記特定の回転方向に回転して前記第一の状態に戻る直前に、前記開口面の一部に対向して当該開口面が下方側から近接する前記貫通孔の箇所付近の下方を覆うよう構成されている、
という構成をとる。
【００１８】
また、上記物品払出装置では、
前記貫通孔は、略円形状に形成されており、
前記回転体は、前記開口面の外形が略円形状に形成された椀状に形成されており、
前記覆い部材として、略円形状である前記貫通孔のうち略半円形状部分の上方を覆う上側覆い部材と、当該上側覆い部材にて上方が覆われている前記貫通孔の略半円形状部分とは反対側に位置する略円形状部分の下方を覆う下側覆い部材と、を備えた、
という構成をとる。
【００１９】
また、上記物品払出装置では、
前記覆い部材は、前記貫通孔側が凹状となる球面の一部の形状に形成されている、
という構成をとる。
【００２０】
また、本発明の他の形態である払出部は、
物品を収納する物品収納空間を有する物品収納部と、当該物品収納部の下部に連結され当該物品収納部内の物品を外部に払い出す払出口を有する払出部と、を備えた物品払出装置を構成する前記払出部であって、
前記物品収納部との連結箇所に、当該物品収納部側と前記払出部の内部空間とを連通させる物品が通過可能な貫通孔が形成されており、
前記払出部の外部に設けられた回転可能なハンドルと、
物品を受ける凹部が形成され、前記ハンドルの回転に伴って回転する回転体と、を備え、
前記回転体は、前記凹部の開口面が上方を向いて前記貫通孔に対向して略平行に位置する第一の状態で、前記払出部の内部空間に位置して前記貫通孔の下方に配置されており、水平方向に沿った軸を支点として特定の回転方向に回転するよう構成され、
さらに、前記回転体の回転軌跡の外側に、前記貫通孔の上方の一部及び／又は下方の一部を覆う覆い部材を設けた、
という構成をとる。
【発明の効果】
【００２１】
本発明は、以上のように構成されるため、一度に１つの物品を払い出すといった仕様通りに作動する物品払出装置を提供することができる。
【図面の簡単な説明】
【００２２】
【図１Ａ】本発明と比較する物品払出装置の構成及び動作を示す図である。
【図１Ｂ】本発明と比較する物品払出装置の構成及び動作を示す図である。
【図１Ｃ】本発明と比較する物品払出装置の構成及び動作を示す図である。
【図１Ｄ】本発明と比較する物品払出装置の構成及び動作を示す図である。
【図１Ｅ】本発明と比較する物品払出装置の構成及び動作を示す図である。
【図２】本発明における物品払出装置の外観を示す図である。
【図３】図２に開示した物品払出装置のうち払出部の構成を示す図である。
【図４Ａ】図３に開示した払出部の構成及び動作を示す図である。
【図４Ｂ】図３に開示した払出部の構成及び動作を示す図である。
【図４Ｃ】図３に開示した払出部の構成及び動作を示す図である。
【図４Ｄ】図３に開示した払出部の構成及び動作を示す図である。
【図４Ｅ】図３に開示した払出部の構成及び動作を示す図である。
【発明を実施するための形態】
【００２３】
＜実施形態１＞
本発明の第１の実施形態を、図２乃至図４を参照して説明する。図２は、物品払出装置の全体構成を示す図であり、図３は、物品払出装置の払出部の構成を示す図である。図４Ａ乃至図４Ｅは払出部の構成を及び動作を示す図である。
【００２４】
本実施形態における物品払出装置は、図２に示すように、上部に設けられた物品収納部１と、下部に設けられた払出部２と、が連結して構成されている。物品払出部１は、内部に物品を収納する物品収納空間を有しており、カプセルやお菓子といった払い出される物品を収納している。そして、物品収納部１の下端は開口しており、物品収納空間内の物品は下部に設けられた払出部２に供給されることとなる。
【００２５】
上記払出部２は、図２に示すように、本体の外側に設けられたハンドル２１と、下端に形成された払出口２５と、を備えている。そして、払出部２本体の内部空間には、ハンドル２１を回転させることによって物品収納部１から供給された物品を払出口２５に払い出す払い出し機構が設けられている。以下、払出部２の払い出し機構の構成と動作について詳述する。
【００２６】
図３は、図２に示した物品払出装置から上部の物品収納部１を取り外し、下部の払出部２のみを示した図である。また、図４Ａ乃至図４Ｅは、払出部１０２のハンドル１２１を回転させたときの当該払出部２の動作を示している。ここで、図３及び図４の各図においては、左側に払出部２の斜視図を示し、右側に払出部２の内部構造の断面図を示す。なお、図４では、払い出す物品１１，１２，１３を略楕円体形状のお菓子としており、説明の都合上、３つの物品のみを図示している。但し、払い出される物品は、商品が内包された球状のカプセルであってもよく、いかなる形状の物品であってもよい。
【００２７】
図３に示すように、払出部２は、本体内部に内部空間が形成されている。また、払出部２は、上部に連結される物品収納部１との連結箇所である上面に、物品収納部１側と払出部２の内部空間とを連通させるよう貫通する貫通孔２０が形成されている。貫通孔２０は、水平方向に広がる円形状に形成されており、少なくとも１つの物品が、物品収納部１側から払出部２の内部空間に通過可能な大きさに形成されている。なお、貫通孔２０は、外形が略円形状であってもよく、いかなる形状であってもよい。
【００２８】
また、払出部２は、内部空間内であって貫通孔２０の直下に、凹部を有する椀状に形成された椀状回転部２２（回転体）を備えている。具体的に、椀状回転部２２は、半球面形状の椀状に形成されており、当該椀状である凹部の開口面が円形状に形成されている。そして、椀状である凹部の開口面の外形は、上述した貫通孔２０の外形よりも小さく形成されており、１つの物品１１，１２，１３を収容可能な大きさに形成されている。但し、椀状回転部２２の形状は、必ずしも椀状であることに限定されず、少なくとも凹部が形成されていればよい。また、椀状回転部２２の凹部の開口面は略円形状であってもよく、いかなる形状であってもよいし、いかなる大きさであってもよい。
【００２９】
また、椀状回転部２２は、払出部２の外部に設けられたハンドル２１と回転軸で連結しており、かかるハンドル２１が回転されることで、払出部２の内部空間で回転するよう構成されている。図３の断面図の例では、椀状回転部２２は、紙面に対して垂直方向に延びる軸を支点として、つまり、払出部２が水平面に載置された状態において水平方向に沿った軸を支点として、円弧矢印に示す時計回りの方向（特定の方向）に回転するよう構成されている。
【００３０】
椀状回転部２２は、図３の断面図に示すような回転停止状態（第一の状態）では、椀状つまり凹部の開口面が上方を向いており、当該開口面が貫通孔２０にて形成される面に対向して略平行に位置した状態となるよう配置される。そして、椀状回転部２２は、図４Ａから図４Ｂ，図４Ｃ，図４Ｄ，図４Ｅと順に示すように、ハンドル２１が回転させられることで時計回りに回転し、図４Ａの回転停止状態に戻るよう操作される。
【００３１】
また、上記貫通孔２０の周囲には、当該貫通孔２０の上方や下方の一部を覆う覆い部材２３，２４が設けられている。具体的に、貫通孔２０の周囲の上方には、図３に示すように、略球面の一部の形状や円弧面形状といった曲面で形成された上方覆い部材２３が設けられている。この上方覆い部材２３は、略円形状である貫通孔２０のうち略半円形状部分の上方を覆うよう形成されている。特に、上方覆い部材２３は、椀状回転部２２が図４Ａに示す回転停止状態から図４Ｂに示す時計回りに回転しはじめたときに、下方側に回転する回転面部分と対向する貫通孔２０の箇所付近の上方を覆うよう構成されている。さらに、上方覆い部材２３は、覆っている貫通孔２０側に位置する内面側が凹状に形成されており、図４Ｄの断面図に示すように、回転している椀状回転部２２に接触しないよう当該椀状回転部２２の回転軌跡の外側に位置している。これにより、上方覆い部材２３は、回転停止状態のときには、貫通孔２０の上方の一部と共に椀状回転部２２の開口面の上方の一部も覆っている状態となる。
【００３２】
また、図３に示すように、貫通孔２０の周囲の下方には、略球面の一部の形状や円弧面形状といった曲面で形成された下方覆い部材２４が設けられている。下方覆い部材２３は、略円形状である貫通孔２０のうち略半円形状部分の下方を覆うよう形成されている。特に、下方覆い部材２４は、椀状回転部２２が図４Ｅに示す時計回りに回転している状態から図４Ａに示す回転停止状態に戻る直前に、下方側から回転して貫通孔２０に近接する開口面部分と対向する当該貫通孔２０の箇所付近の下方付近を覆うよう構成されている。つまり、下方覆い部材２４は、上記上側覆い部材２３にて上方が覆われている貫通孔２０の略半円形状部分とは反対側に位置する略半円形状部分の下方を覆うよう形成されている。さらに、下方覆い部材２４は、覆っている貫通孔２０側に位置する内面が凹状に形成されており、図４Ｅの断面図に示すように、回転している椀状回転部２２に接触しないよう当該椀状回転部２２の回転軌跡の外側に位置している。これにより、下方覆い部材２４は、回転停止状態のときには、貫通孔２０の下方の一部と共に椀状回転部２２の開口面の裏面側の下方の一部も覆っている状態となる。なお、下方覆い部材２４が覆う貫通孔２０の下方箇所は、椀状回転部２２の側方に位置する箇所も含む。
【００３３】
ここで、上述した上方覆い部材２３と下方覆い部材２４は、必ずしも上述した形状であることに限定されず、貫通孔２０の上方あるいは下方の一部を覆っていればいかなる形状であってもよい。また、上方覆い部材２３と下方覆い部材２４とは、必ずしも両方が設けられていることに限定されず、上方覆い部材２３と下方覆い部材２４とのいずれか一方のみが設けられていてもよい。
【００３４】
次に、上述した構成の払出部２による物品を払い出すときの動作を、図４Ａ乃至図４Ｅを参照して説明する。なお、ここでは、物品１１，１２，１３を略楕円体形状のお菓子であることとし、説明の都合上、３つの物品１１，１２，１３のみを図示することとする。但し、物品はいかなる形状のものであってもよい。
【００３５】
まず、図４Ａに示すように、椀状回転部２２の開口面が上方を向いている回転停止状態であるときには、椀状回転部２２には、貫通孔２０から落下してきた１つの物品１１が収容され、当該物品１１が椀状部分に保持された状態となる。
【００３６】
その後、椀状回転部２２に保持されている物品１１を払い出すべくハンドル２１を徐々に回転させると、図４Ｂ，４Ｃ，４Ｄに示すように、椀状回転部２２が時計回りに回転する。すると、椀状回転部２２の開口面が徐々に側方を向き、開口面の一部が払出部２に内部空間側に位置すると、椀状回転部２２に保持されている１つの物品１１が払出部２の内部空間に落下する（図４Ｃ参照）。これにより、払出部２の内部に落下した１つの物体１１は、払出部２の下部に位置する払出口２５から払い出されることとなる（図４Ｄ，４Ｅ参照）。
【００３７】
ここで、本実施形態における払出部２では、図４Ｂ，４Ｃに示すように椀状回転部２２の開口面が側方を向いているときには、当該開口面が側方を向いている側に位置する貫通孔２０の一部（図４Ｂで右側の略半円形状部分）の上方は、上方覆い部材２３で覆われている。このため、椀状回転部２２の開口面が側方を向くことによって形成された当該椀状回転部２２と貫通孔２０との隙間は、上方覆い部材２３で塞がれた状態となり、その上に位置している別の物品１２が貫通孔２０から払出部２の内部空間に落下することを防止している。なお、上方覆い部材２３で覆われていない貫通孔２０の他の部分（図４Ｂで左側の略半円形状部分）は、椀状回転部２２が回転することによって椀状部分の裏面側で塞がれることなり、さらに別の物品１３の落下も防止している。
【００３８】
その後、さらにハンドル２１を回転させると、椀状回転部２２が回転前の状態に戻る前に、図４Ｅに示すように、その開口面が側方（図４Ｅの断面図では左側）を向くこととなる。つまり、図４Ｂに示す回転しはじめのときに開口面が向く側方（図４Ｂの断面図では右側）とは反対側の側方（図４Ｅの断面図では左側）を向くこととなる。すると、貫通孔２０と椀状回転部２２の開口面との間に隙間が生じ、かかる隙間からさらに別の物品１３が落下しうる。ところが、本実施形態における払出部２では、図４Ｅに示すように、かかる貫通孔２０と椀状回転部２２の開口面との間の下方は、下方覆い部材２４で覆われている。このため、貫通孔２０と椀状回転部２２との隙間から落下しかけた物品１３は、かかる隙間のさらに下方が下方覆い部材２４で塞がれていることから、払出部２の内部空間に落下することが防止される。なお、落下しかけた物品１３は、さらに回転する椀状回転部２２の椀状部分に収容された状態で回転停止状態に戻ることとなる。つまり、図４Ａにおいて、物品１１の代わりにさらに別の物品１３が椀状回転部２２の椀状部分に収容された状態となり、次のハンドル２１の回転時に払い出されることとなる。
【００３９】
以上のように、上述した構造の物品払出装置に装備される払出部２では、１回のハンドル２１の回転で複数の物品が払い出されることを防止でき、１つの物品のみを払い出すという仕様通りに作動することとなる。
【００４０】
ここで、本実施形態における払出部２では、さらにハンドル２１つまり椀状回転部２２の回転構造に特徴を有する。通常、物品払出装置では、ハンドル２１を逆方向に回転させると、物品が複数個同時に払い出されたり、予想外の動作により動作不良をおこすことがあるため、ハンドル２１と椀状回転部２２とが連結された回転軸に、逆回転防止用のギアを設け、かかるギアのピッチを細かく設定している。ところが、逆回転防止用のギアのピッチを細かく設定すると、全く逆回転ができず、物品が詰まってしまうなどの不具合が生じた場合に、さらに正回転させることしかできず、不具合を改善できない場合が生じる。そこで、本実施形態では、逆回転防止用のギアのピッチを約６０度とし、ハンドル２１つまり椀状回転部２２を最大で６０度だけ逆回転可能としている。これにより、不具合が生じたときに６０度の範囲で逆回転させることで、不具合の解消を図ることができる。なお、逆回転防止用のギアのピッチは６０度であることに限定されず、いかなる角度であってもよい。
【００４１】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４２】
１  物品収納部
１１，１２，１３  物品
２  払出部
２０  貫通孔
２１  ハンドル
２２  椀状回転部
２３  上方覆い部材
２４  下方覆い部材
２５  払出口
【図１Ａ】
2020109596.tif 000003
【図１Ｂ】
2020109596.tif 000004
【図１Ｃ】
2020109596.tif 000005
【図１Ｄ】
2020109596.tif 000006
【図１Ｅ】
2020109596.tif 000007
【図２】
2020109596.tif 000008
【図３】
2020109596.tif 000009
【図４Ａ】
2020109596.tif 000010
【図４Ｂ】
2020109596.tif 000011
【図４Ｃ】
2020109596.tif 000012
【図４Ｄ】
2020109596.tif 000013
【図４Ｅ】
2020109596.tif 000014